(57)【要約】【課題】消費電力を抑えることができる電子機器及びナビゲーション装置において、ユーザの好みを反映できてユーザにとって使い勝手がよいものとする。【解決手段】ナビゲーション装置１において、ナビゲーション装置１の動作モードを、通常動作モードと、省電力動作モードと、の何れかに設定する設定プログラム１７３ｇを実行したＣＰＵ１７１と、省電力動作モードに設定されてからの経過時間が、ユーザにより入力された継続時間に達したか否かを判定する判定プログラム１７３ｅを実行したＣＰＵ１７１と、を備え、ユーザにより省電力動作モードに設定するよう指示された場合に、ナビゲーション装置１の動作モードを省電力動作モードに設定し、その後、省電力動作モードに設定されてからの経過時間が、ユーザにより入力された継続時間に達したと判定された場合に、ナビゲーション装置１の動作モードを通常動作モードに設定するよう構成した。【選択図】図１
2008268015.tif 000002
【特許請求の範囲】
【請求項１】
現在位置を測位する測位手段と、当該測位手段により測位された現在位置を表示部に表示させる表示制御手段と、を備える携帯可能な電子機器において、
当該電子機器の動作モードを、第１動作モードと、当該第１動作モードよりも消費電力の少ない第２動作モードと、の何れかに設定する設定手段と、
ユーザが、前記第２動作モードに設定するよう指示するための指示手段と、
ユーザが、前記第２動作モードに設定された状態を継続させる継続時間を入力するための入力手段と、
前記設定手段により前記第２動作モードに設定されてからの経過時間が、前記入力手段により入力された継続時間に達したか否かを判定する判定手段と、を備え、
前記設定手段は、前記指示手段により前記第２動作モードに設定するよう指示された場合に、前記電子機器の動作モードを前記第２動作モードに設定し、その後、前記判定手段によって、当該設定手段により前記第２動作モードに設定されてからの経過時間が、前記入力手段により入力された継続時間に達したと判定された場合に、前記電子機器の動作モードを前記第１動作モードに設定することを特徴とする電子機器。
【請求項２】
請求項１に記載の電子機器において、
前記判定手段によって、前記設定手段により前記第２動作モードに設定されてからの経過時間が、前記入力手段により入力された継続時間に達したと判定された場合に、その旨を報知する報知手段と、
ユーザが、前記報知手段により報知された場合に、前記第２動作モードに設定された状態をさらに継続するよう指示するための第２指示手段と、を備え、
前記設定手段は、前記判定手段によって、当該設定手段により前記第２動作モードに設定されてからの経過時間が、前記入力手段により入力された継続時間に達したと判定されて、前記第２指示手段により前記第２動作モードに設定された状態をさらに継続するよう指示されない場合は、前記電子機器の動作モードを前記第１動作モードに設定するとともに、前記第２指示手段により前記第２動作モードに設定された状態をさらに継続するよう指示された場合は、前記電子機器の動作モードを前記第２動作モードに設定したままにすることを特徴とする電子機器。
【請求項３】
請求項１又は２に記載の電子機器において、
前記第１動作モード時は、前記表示部による表示及び前記測位手段による測位を行うように構成され、
前記第２動作モード時は、少なくとも前記表示部による表示及び前記測位手段による測位を行わないように構成されていることを特徴とする電子機器。
【請求項４】
現在位置を測位する測位手段と、当該測位手段により測位された現在位置を表示部に表示させる表示制御手段と、を備える携帯可能なナビゲーション装置において、
当該ナビゲーション装置の動作モードを、前記表示部による表示及び前記測位手段による測位を行う第１動作モードと、少なくとも前記表示部による表示及び前記測位手段による測位を行わない第２動作モードと、の何れかに設定する設定手段と、
ユーザが、前記第２動作モードに設定するよう指示するための第１指示手段と、
ユーザが、前記第２動作モードに設定された状態を継続させる継続時間を入力するための入力手段と、
前記設定手段により前記第２動作モードに設定されてからの経過時間が、前記入力手段により入力された継続時間に達したか否かを判定する判定手段と、
前記判定手段によって、前記設定手段により前記第２動作モードに設定されてからの経過時間が、前記入力手段により入力された継続時間に達したと判定された場合に、その旨を報知する報知手段と、
ユーザが、前記報知手段により前記報知された場合に、前記第２動作モードに設定された状態をさらに継続するよう指示するための第２指示手段と、を備え、
前記設定手段は、前記第１指示手段により前記第２動作モードに設定するよう指示された場合に、前記ナビゲーション装置の動作モードを前記第２動作モードに設定し、その後、前記判定手段によって、当該設定手段により前記第２動作モードに設定されてからの経過時間が、前記入力手段により入力された継続時間に達したと判定されて、前記第２指示手段により前記第２動作モードに設定された状態をさらに継続するよう指示されない場合は、前記ナビゲーション装置の動作モードを前記第１動作モードに設定するとともに、前記第２指示手段により前記第２動作モードに設定された状態をさらに継続するよう指示された場合は、前記ナビゲーション装置の動作モードを前記第２動作モードに設定したままにすることを特徴とするナビゲーション装置。
【発明の詳細な説明】
【技術分野】
【０００１】
本発明は、電子機器及びナビゲーション装置に関する。
【背景技術】
【０００２】
従来、ＧＰＳ（Global Positioning System：全地球測位システム）を利用して現在位置を測位し、その測位した現在位置を地図情報とともに表示画面上に表示するナビゲーション装置が知られている。
ところで、従来から、ナビゲーション装置の消費電力を抑えるために様々な技術が提案されている。
【０００３】
具体的には、例えば、測位した２点間の移動距離と、その間に得られた走行ピッチ数と、から走行ストライドを演算して、当該演算された走行ストライドから移動距離や移動速度を求めることができるナビゲーション装置において、走行ストライドを演算するまでの間のみ連続的に測位動作を実行することによって、連続測位時間を最小限にして、消費電力を抑制するナビゲーション装置が提案されている（例えば、特許文献１参照）。
【０００４】
また、表示手段に表示される現在位置の位置変化に応じて測位手段による現在位置の測位間隔を制御したり、受信手段によるＧＰＳ信号の受信対象となるＧＰＳ衛星の数を制御したり、受信手段に電力を供給する二次電源の消耗度合いに応じて受信手段によるＧＰＳ信号の受信間隔を制御したり、受信手段によるＧＰＳ信号の受信終了後に受信手段の電源を直ちに遮断したりすることによって、消費電力を抑制するナビゲーション装置が提案されている（例えば、特許文献２参照）。
【０００５】
また、主電源がＯＮされた後、定期的にハードウエアのチェックや、ＧＰＳ衛星の選択、現在位置の測位などを実行する間欠受信モードを採用しているナビゲーション装置において、ハードウエアのチェックとＧＰＳ衛星の選択を主電源がＯＮされたときにのみ実行することによって、消費電力を抑制するナビゲーション装置が提案されている（例えば、特許文献３参照）。
【特許文献１】特開２００２−１６２２５０号公報
【特許文献２】特開２０００−２４９５６５号公報
【特許文献３】特開平８−１４６１１５号公報
【発明の開示】
【発明が解決しようとする課題】
【０００６】
しかしながら、特許文献１〜３では、ユーザが意図しないタイミングやユーザが意図しない期間、受信動作や測位動作を中断していたり、ハードウエアのチェックを行っていたりする場合があるため、ユーザにとって使い勝手が悪い場合がある。
【０００７】
本発明の課題は、消費電力を抑えることができる電子機器及びナビゲーション装置において、ユーザの好みを反映できてユーザにとって使い勝手がよいものとすることにある。
【課題を解決するための手段】
【０００８】
上記課題を解決するために、請求項１に記載の発明は、
現在位置を測位する測位手段と、当該測位手段により測位された現在位置を表示部に表示させる表示制御手段と、を備える携帯可能な電子機器において、
当該電子機器の動作モードを、第１動作モードと、当該第１動作モードよりも消費電力の少ない第２動作モードと、の何れかに設定する設定手段と、
ユーザが、前記第２動作モードに設定するよう指示するための指示手段と、
ユーザが、前記第２動作モードに設定された状態を継続させる継続時間を入力するための入力手段と、
前記設定手段により前記第２動作モードに設定されてからの経過時間が、前記入力手段により入力された継続時間に達したか否かを判定する判定手段と、を備え、
前記設定手段は、前記指示手段により前記第２動作モードに設定するよう指示された場合に、前記電子機器の動作モードを前記第２動作モードに設定し、その後、前記判定手段によって、当該設定手段により前記第２動作モードに設定されてからの経過時間が、前記入力手段により入力された継続時間に達したと判定された場合に、前記電子機器の動作モードを前記第１動作モードに設定することを特徴とする。
【０００９】
請求項２に記載の発明は、
請求項１に記載の電子機器において、
前記判定手段によって、前記設定手段により前記第２動作モードに設定されてからの経過時間が、前記入力手段により入力された継続時間に達したと判定された場合に、その旨を報知する報知手段と、
ユーザが、前記報知手段により報知された場合に、前記第２動作モードに設定された状態をさらに継続するよう指示するための第２指示手段と、を備え、
前記設定手段は、前記判定手段によって、当該設定手段により前記第２動作モードに設定されてからの経過時間が、前記入力手段により入力された継続時間に達したと判定されて、前記第２指示手段により前記第２動作モードに設定された状態をさらに継続するよう指示されない場合は、前記電子機器の動作モードを前記第１動作モードに設定するとともに、前記第２指示手段により前記第２動作モードに設定された状態をさらに継続するよう指示された場合は、前記電子機器の動作モードを前記第２動作モードに設定したままにすることを特徴とする。
【００１０】
請求項３に記載の発明は、
請求項１又は２に記載の電子機器において、
前記第１動作モード時は、前記表示部による表示及び前記測位手段による測位を行うように構成され、
前記第２動作モード時は、少なくとも前記表示部による表示及び前記測位手段による測位を行わないように構成されていることを特徴とする。
【００１１】
請求項４に記載の発明は、
現在位置を測位する測位手段と、当該測位手段により測位された現在位置を表示部に表示させる表示制御手段と、を備える携帯可能なナビゲーション装置において、
当該ナビゲーション装置の動作モードを、前記表示部による表示及び前記測位手段による測位を行う第１動作モードと、少なくとも前記表示部による表示及び前記測位手段による測位を行わない第２動作モードと、の何れかに設定する設定手段と、
ユーザが、前記第２動作モードに設定するよう指示するための第１指示手段と、
ユーザが、前記第２動作モードに設定された状態を継続させる継続時間を入力するための入力手段と、
前記設定手段により前記第２動作モードに設定されてからの経過時間が、前記入力手段により入力された継続時間に達したか否かを判定する判定手段と、
前記判定手段によって、前記設定手段により前記第２動作モードに設定されてからの経過時間が、前記入力手段により入力された継続時間に達したと判定された場合に、その旨を報知する報知手段と、
ユーザが、前記報知手段により前記報知された場合に、前記第２動作モードに設定された状態をさらに継続するよう指示するための第２指示手段と、を備え、
前記設定手段は、前記第１指示手段により前記第２動作モードに設定するよう指示された場合に、前記ナビゲーション装置の動作モードを前記第２動作モードに設定し、その後、前記判定手段によって、当該設定手段により前記第２動作モードに設定されてからの経過時間が、前記入力手段により入力された継続時間に達したと判定されて、前記第２指示手段により前記第２動作モードに設定された状態をさらに継続するよう指示されない場合は、前記ナビゲーション装置の動作モードを前記第１動作モードに設定するとともに、前記第２指示手段により前記第２動作モードに設定された状態をさらに継続するよう指示された場合は、前記ナビゲーション装置の動作モードを前記第２動作モードに設定したままにすることを特徴とする。
【発明の効果】
【００１２】
本発明によれば、現在位置を測位する測位手段と、当該測位手段により測位された現在位置を表示部に表示させる表示制御手段と、を備える携帯可能な電子機器において、設定手段によって、電子機器の動作モードを、第１動作モードと、当該第１動作モードよりも消費電力の少ない第２動作モードと、の何れかに設定することができ、指示手段（第１指示手段）によって、ユーザが、第２動作モードに設定するよう指示することができ、入力手段によって、ユーザが、第２動作モードに設定された状態を継続させる継続時間を入力することができ、判定手段によって、設定手段により第２動作モードに設定されてからの経過時間が、入力手段により入力された継続時間に達したか否かを判定することができ、そして、設定手段は、指示手段（第１指示手段）により第２動作モードに設定するよう指示された場合に、電子機器の動作モードを第２動作モードに設定し、その後、判定手段によって、当該設定手段により第２動作モードに設定されてからの経過時間が、入力手段により入力された継続時間に達したと判定された場合に、電子機器の動作モードを第１動作モードに設定することができる。
すなわち、ユーザは、消費電力の少ない第２動作モードに設定するタイミングを指示することができるとともに、当該第２動作モードを継続させる継続時間を入力することができるため、ユーザの好みを反映できてユーザにとって使い勝手がよい電子機器となる。
【発明を実施するための最良の形態】
【００１３】
以下、図を参照して、本発明にかかる電子機器であるナビゲーション装置の最良の形態を詳細に説明する。なお、発明の範囲は、図示例に限定されない。
【００１４】
＜ナビゲーション装置の構成＞
ナビゲーション装置１は、例えば、携帯可能な大きさに構成されており、ＧＰＳを利用して現在位置を測位し、その測位した現在位置を歩行（走行）案内表示等とともに、表示部１２の表示画面上の地図に表示する電子機器である。
【００１５】
具体的には、ナビゲーション装置１は、例えば、図１に示すように、ＧＰＳアンテナ１１と、表示部１２と、音声出力部１３と、操作部１４と、計時部１５と、電源部１６と、制御部１７と、などを備えて構成される。
【００１６】
ナビゲーション装置１の動作モードには、例えば、第１動作モードとしての通常動作モードと、この通常動作モードよりも消費電力の少ない第２動作モードとしての省電力動作モードと、がある。
【００１７】
具体的には、通常動作モード時は、例えば、電源部１６から、ＧＰＳアンテナ１１と表示部１２と音声出力部１３と操作部１４と計時部１５と制御部１７となどのナビゲーション装置１を構成する各部位への通電が行われている。すなわち、通常動作モード時は、例えば、ＧＰＳアンテナ１１によるＧＰＳ信号の受信、表示部１２による表示（表示制御プログラム１７３ｃを実行したＣＰＵ１７１による表示制御）、音声出力部１３による音声出力（音声出力制御プログラム１７３ｄを実行したＣＰＵ１７１による音声出力制御）、操作部１４による操作信号の出力、計時部１５による計時、測位プログラム１７３ｂを実行したＣＰＵ１７１による測位、設定プログラム１７３ｇを実行したＣＰＵ１７１による動作モード設定、などを行うように構成されている。
【００１８】
一方、省電力動作モード時は、例えば、電源部１６から、ナビゲーション装置１を構成する各部位のうちの操作部１４、計時部１５及び制御部１７への通電が行われている。すなわち、省電力動作モード時は、例えば、操作部１４のよる操作信号の出力、計時部１５による計時、判定プログラム１７３ｅを実行したＣＰＵ１７１による判定、報知制御プログラム１７３ｆを実行したＣＰＵ１７１による報知制御、設定プログラム１７３ｇを実行したＣＰＵ１７１による動作モード設定、などを行うよう構成されており、ＧＰＳアンテナ１１によるＧＰＳ信号の受信、表示部１２による表示（表示制御プログラム１７３ｃを実行したＣＰＵ１７１による表示制御）、音声出力部１３による音声出力（音声出力制御プログラム１７３ｄを実行したＣＰＵ１７１による音声出力制御）、測位プログラム１７３ｂを実行したＣＰＵ１７１による測位、などを行わないように構成されている。
【００１９】
ここで、省電力動作モード時は、制御部１７への通電が行われているのにも関わらず、表示制御プログラム１７３ｃを実行したＣＰＵ１７１による表示制御が行われないのは、表示部１２への通電が行われていないからであり、音声出力制御プログラム１７３ｄを実行したＣＰＵ１７１による音声出力制御が行われないのは、音声出力部１３への通電が行われていないからであり、測位プログラム１７３ｂを実行したＣＰＵ１７１による測位が行われないのは、ＧＰＳアンテナ１１への通電が行われていないために当該測位に必要なＧＰＳ信号を取得できないからである。
なお、省電力動作モード時は、音声出力部１３への通電は行われていないが、報知制御プログラム１７３ｆを実行したＣＰＵ１７１による報知制御によって、報知のときのみ、音声出力部１３への通電が行われるようになっている。
【００２０】
ＧＰＳアンテナ１１は、例えば、制御部１７から入力される制御信号に従って、ＧＰＳ衛星から送信されるＧＰＳ信号を受信して、制御部１７に出力する。
【００２１】
表示部１２は、例えば、液晶表示機器などから構成され、制御部１７から入力される制御信号に従って、所与の表示処理を行う。
【００２２】
音声出力部１３は、例えば、スピーカ機器などから構成され、制御部１７から入力される制御信号に従って、所与の音声出力処理を行う。
【００２３】
具体的には、音声出力部１３は、例えば、報知手段として、判定プログラム１７３ｅを実行したＣＰＵ１７１によって、設定プログラム１７３ｇを実行したＣＰＵ１７１により省電力動作モードに設定されてからの経過時間が、ユーザによる操作部１４の操作により入力された継続時間に達したと判定された場合に、その旨を報知する。
なお、当該報知の際に音声出力部１３により出力される音声（音）は、ナビゲーション装置１の動作モードが省電力動作モードに設定されてからの経過時間が、ユーザにより入力された継続時間に達した旨を報知することができるのであれば任意であり、例えば、「省電力動作モードをさらに継続しますか？」などの音声であってもよいし、ブザー音などであってもよい。
【００２４】
操作部１４は、例えば、文字／数字キーや各種機能キーなどから構成され、ユーザにより操作されると、当該操作に伴う操作信号を制御部１７に出力する。
なお、操作部１４は、例えば、表示部１２の表示画面と一体的に構成されたタッチパネルなどを備える構成であってもよい。
【００２５】
具体的には、操作部１４は、例えば、第１指示手段（指示手段）として、ユーザが、ナビゲーション装置１の動作モードを省電力動作モードに設定するよう指示する際に操作される。
【００２６】
より具体的には、ユーザは、例えば、表示部１２に表示される「動作モード選択画面」において、操作部１４を操作して、ナビゲーション装置１の動作モードを、通常動作モードに設定させるか、省電力動作モードに設定させるか、を指示できるようになっている。
なお、省電力動作モードに設定するよう指示する方法は、「動作モード選択画面」において指示する方法に限ることはなく、ユーザがナビゲーション装置１の動作モードを省電力動作モードに設定するよう指示することができるのであれば任意であり、例えば、操作部１４に「省電力動作モード」キーを備えて、その「省電力動作モード」キーを押下する方法であってもよい。
【００２７】
また、操作部１４は、例えば、第２指示手段として、ユーザが、音声出力部１３により報知された場合に、ナビゲーション装置１の動作モードが省電力動作モードに設定された状態をさらに継続するよう指示する際に操作される。
【００２８】
より具体的には、ユーザは、例えば、音声出力部１３による報知の間に表示部１２に表示される「動作モード選択画面」において、操作部１４を操作して、ナビゲーション装置１の動作モードを、通常動作モードに設定させるか、省電力動作モードに設定させるか、を指示できるようになっている。
なお、省電力動作モードに設定された状態をさらに継続するよう指示するための「動作モード選択画面」が表示されるタイミングは、音声出力部１３による報知の間に限ることはなく、ユーザが、音声出力部１３による報知に応答して、ナビゲーション装置１の動作モードが省電力動作モードに設定された状態をさらに継続するよう指示することができるのであれば任意である。
また、省電力動作モードに設定された状態をさらに継続するよう指示する方法は、「動作モード選択画面」において指示する方法に限ることはなく、ユーザがナビゲーション装置１の動作モードが省電力動作モードに設定された状態をさらに継続するよう指示することができるのであれば任意であり、例えば、操作部１４に「省電力動作モード」キーを備えて、その「省電力動作モード」キーを押下する方法であってもよい。
【００２９】
また、操作部１４は、例えば、入力手段として、ユーザが、ナビゲーション装置１の動作モードが省電力動作モードに設定された状態を継続させる継続時間を入力する際に操作される。
なお、継続時間は、ユーザが、ナビゲーション装置１の動作モードが省電力動作モードに設定された状態を継続させたい時間であれば任意であり、具体的には、例えば、ナビゲーション装置１にて現在位置を確認することなく、長時間（例えば、１〜２時間）連続歩行する予定であれば、ユーザは、その連続歩行する予定の時間を継続時間として入力するとよい。
【００３０】
より具体的には、例えば、ユーザによる操作部１４の操作によって、ナビゲーション装置１の動作モードを省電力動作モードに設定するよう指示されると、表示部１２には「継続時間入力画面」が表示されるようになっており、ユーザは、この「継続時間入力画面」において、操作部１４を操作して、継続時間を入力できるようになっている。
なお、継続時間を入力する方法は、「継続時間入力画面」において設定する方法に限ることはなく、ユーザがナビゲーション装置１の動作モードが省電力動作モードに設定された状態を継続させたい時間を設定できるのであれば任意である。
また、継続時間を入力するタイミングは、ユーザがナビゲーション装置１の動作モードを省電力動作モードに設定するよう指示した後に限ることはなく、ユーザがナビゲーション装置１の動作モードが省電力動作モードに設定された状態を継続させたい時間を設定できるのであれば任意である。
【００３１】
計時部１５は、例えば、制御部１７から入力される制御信号に従って、所与の計時処理を行う。
【００３２】
電源部１６は、例えば、蓄電池などを備え、制御部１７から入力される制御信号に従って、ナビゲーション装置１を構成する各部位に通電を行う。
【００３３】
制御部１７は、例えば、図１に示すように、ＣＰＵ（Central Processing Unit）１７１と、ＲＡＭ（Random Access Memory）１７２と、記憶部１７３と、などを備えて構成される。
【００３４】
ＣＰＵ１７１は、例えば、記憶部１７３に記憶されたナビゲーション装置１用の各所処理プログラムに従って各所の制御動作を行う。
【００３５】
ＲＡＭ１７２は、例えば、ＣＰＵ１７１によって実行される処理プログラムなどを展開するためのプログラム格納領域や、入力データや上記処理プログラムが実行される際に生じる処理結果などを格納するデータ格納領域などを備える。
【００３６】
記憶部１７３は、例えば、ナビゲーション装置１で実行可能なシステムプログラム、当該システムプログラムで実行可能な各種処理プログラム、これら各種処理プログラムを実行する際に使用されるデータ、ＣＰＵ１７１によって演算処理された処理結果のデータなどを記憶する。なお、プログラムは、コンピュータが読み取り可能なプログラムコードの形で記憶部１７３に記憶されている。
【００３７】
具体的には、記憶部１７３は、例えば、図１に示すように、地図情報データベース１７３ａと、測位プログラム１７３ｂと、表示制御プログラム１７３ｃと、音声出力制御プログラム１７３ｄと、判定プログラム１７３ｅと、報知制御プログラム１７３ｆと、設定プログラム１７３ｇと、などを記憶している。
【００３８】
地図情報データベース１７３ａは、例えば、所定の地域内（例えば、日本全土）を表現したナビゲーション用の地図に関する地図情報を記憶する。
【００３９】
測位プログラム１７３ｂは、例えば、ＧＰＳアンテナ１１により入力されたＧＰＳ信号に基づいてナビゲーション装置１の絶対的な２次元の現在位置（緯度、経度）或いは３次元の現在位置（緯度、経度、高度）を測位する機能を、ＣＰＵ１７１に実現させる。
ＣＰＵ１７１は、かかる測位プログラム１７３ｂを実行することによって、測位手段として機能する。
【００４０】
表示制御プログラム１７３ｃは、例えば、測位プログラム１７３ｂを実行したＣＰＵ１７１により測位された現在位置などを、地図情報データベース１７３ａに記憶された地図情報とともに表示部１２に表示させる機能を、ＣＰＵ１７１に実現させる。
さらに、表示制御プログラム１７３ｃは、例えば、ユーザによる操作部１４の操作によってユーザ所望の目的地が設定された場合には、現在位置からその目的地までの歩行（走行）案内表示などを、地図情報とともに表示部１２に表示させる機能を、ＣＰＵ１７１に実現させる。
ＣＰＵ１７１は、かかる表示制御プログラム１７３ｃを実行することによって、表示制御手段として機能する。
【００４１】
音声出力制御プログラム１７３ｄは、例えば、測位プログラム１７３ｂを実行したＣＰＵ１７１により測位された現在位置などに関する音声情報を、音声出力部１２に出力させる機能を、ＣＰＵ１７１に実現させる。
さらに、音声出力制御プログラム１７３ｄは、例えば、ユーザによる操作部１４の操作によってユーザ所望の目的地が設定された場合には、現在位置からその目的地までの歩行（走行）案内などに関する音声情報を、音声出力部１２に出力させる機能を、ＣＰＵ１７１に実現させる。
【００４２】
判定プログラム１７３ｅは、例えば、計時部１５による計時結果に基づいて、設定プログラム１７３ｇを実行したＣＰＵ１７１により省電力動作モードに設定されてからの経過時間が、ユーザによる操作部１４の操作により入力された継続時間に達したか否かを判定する機能を、ＣＰＵ１７１に実現させる。
ＣＰＵ１７１は、かかる判定プログラム１７３ｅを実行することによって、判定手段として機能する。
【００４３】
報知制御プログラム１７３ｆは、例えば、判定プログラム１７３ｅを実行したＣＰＵ１７１によって、設定プログラム１７３ｇを実行したＣＰＵ１７１により省電力動作モードに設定されてからの経過時間が、ユーザによる操作部１４の操作により入力された継続時間に達したと判定された場合に、音声出力部１３に制御信号を入力して、その旨を報知させる機能を、ＣＰＵ１７１に実現させる。
なお、省電力動作モード時は、音声出力部１３への通電は行われていないが、報知制御プログラム１７３ｆを実行したＣＰＵ１７１による報知制御によって、報知のときのみ、音声出力部１３への通電が行われるようになっている。
【００４４】
設定プログラム１７３ｇは、例えば、ナビゲーション装置１の動作モードを、通常動作モードと、省電力動作モードと、の何れかに設定する機能を、ＣＰＵ１７１に実現させる。
【００４５】
具体的には、ＣＰＵ１７１は、例えば、ユーザによる操作部１４の操作により省電力動作モードに設定するよう指示された場合に、ナビゲーション装置１の動作モードを省電力動作モードに設定する。
その後、ＣＰＵ１７１は、例えば、判定プログラム１７３ｅを実行したＣＰＵ１７１によって、省電力動作モードに設定されてからの経過時間が、ユーザによる操作部１４の操作により入力された継続時間に達したと判定されて、ユーザによる操作部１４の操作により省電力動作モードに設定された状態をさらに継続するよう指示されない場合は、ナビゲーション装置１の動作モードを通常動作モードに設定するとともに、ユーザによる操作部１４の操作により省電力動作モードに設定された状態をさらに継続するよう指示された場合は、ナビゲーション装置１の動作モードを省電力動作モードに設定したままにする。
ＣＰＵ１７１は、かかる設定プログラム１７３ｇを実行することによって、設定手段として機能する。
【００４６】
＜動作モード設定処理＞
ナビゲーション装置１による動作モードの設定に関する処理について、図２のフローチャートを参照して説明する。
【００４７】
まず、ユーザにより操作された操作部１４からの指示に従って、ナビゲーション装置１の電源をＯＮすると（ステップＳ１１）、ＣＰＵ１７１は、表示部１２に「動作モード選択画面」を表示させて、ユーザに、ナビゲーション装置１の動作モードを選択させる（ステップＳ１２）。
【００４８】
ステップＳ１２で、ユーザによる操作部１４の操作によって、ナビゲーション装置１の動作モードが選択されると、ＣＰＵ１７１は、当該選択された動作モードが省電力動作モードであるか否かを判断する（ステップＳ１３）。
【００４９】
ステップＳ１３で、当該選択された動作モードが省電力動作モードでないと判断すると（ステップＳ１３；Ｎｏ）、すなわち、当該選択された動作モードは通常動作モードであると判断すると、ＣＰＵ１７１は、設定プログラム１７３ｇを実行して、ナビゲーション装置１の動作モードを通常動作モードに設定する（ステップＳ１４）。
【００５０】
次いで、ＣＰＵ１７１は、ユーザによる操作部１４の操作によって、ナビゲーション装置１の動作モードが選択されたか否かを判断する（ステップＳ１５）。
具体的には、ＣＰＵ１７１は、例えば、ユーザによる操作部１４の操作によって、「動作モード選択画面」を表示部１２に表示するよう指示されて、その「動作モード選択画面」において、ナビゲーション装置１の動作モードが選択されたか否かを判断する。
【００５１】
ステップＳ１５で、ナビゲーション装置１の動作モードが選択されていないと判断すると（ステップＳ１５；Ｎｏ）、ＣＰＵ１７１は、ステップＳ１５の処理を繰り返して行う。
【００５２】
一方、ステップＳ１５で、ナビゲーション装置１の動作モードが選択されたと判断すると（ステップＳ１５；Ｙｅｓ）、ＣＰＵ１７１は、ステップＳ１３以降の処理を繰り返して行う。
【００５３】
また、ステップＳ１３で、当該選択された動作モードが省電力動作モードであると判断すると（ステップＳ１３；Ｙｅｓ）、ＣＰＵ１７１は、表示部１２に「継続時間入力画面」を表示させて、ユーザに、ナビゲーション装置１の動作モードが省電力動作モードに設定された状態を継続させたい時間（継続時間）を入力させる（ステップＳ１６）。
【００５４】
ステップＳ１６で、ユーザによる操作部１４の操作によって、継続時間が入力されると、ＣＰＵ１７１は、設定プログラム１７３ｇを実行して、ナビゲーション装置１の動作モードを省電力動作モードに設定する（ステップＳ１７）。
【００５５】
次いで、ＣＰＵ１７１は、判定プログラム１７３ｅを実行して、省電力動作モードに設定されてからの経過時間が、すなわち、ステップＳ１７からの経過時間が、ステップＳ１６で入力された継続時間に達したか否かを判定する（ステップＳ１８）。
【００５６】
ステップＳ１８で、省電力動作モードに設定されてからの経過時間が、ステップＳ１６で入力された継続時間に達していないと判定すると（ステップＳ１８；Ｎｏ）、ＣＰＵ１７１は、ユーザによる操作部１４の操作によって、ナビゲーション装置１の動作モードが選択されたか否かを判断する（ステップＳ１９）。
【００５７】
ステップＳ１９で、ナビゲーション装置１の動作モードが選択されていないと判断すると（ステップＳ１９；Ｎｏ）、ＣＰＵ１７１は、ステップＳ１８以降の処理を繰り返して行う。
【００５８】
一方、ステップＳ１９で、ナビゲーション装置１の動作モードが選択されたと判断すると（ステップＳ１９；Ｙｅｓ）、ＣＰＵ１７１は、ステップＳ１３以降の処理を繰り返して行う。
【００５９】
また、ステップＳ１８で、省電力動作モードに設定されてからの経過時間が、ステップＳ１６で入力された継続時間に達したと判定すると（ステップＳ１８；Ｙｅｓ）、ＣＰＵ１７１は、報知制御プログラム１７３ｆを実行して、音声出力部１３に制御信号を入力して、その旨を報知させ（ステップＳ２０）、ユーザによる操作部１４の操作によって、ナビゲーション装置１の動作モードが選択されたか否かを判断する（ステップＳ２１）。
【００６０】
ステップＳ２１で、ナビゲーション装置１の動作モードが選択されたと判断すると（ステップＳ２１；Ｙｅｓ）、ＣＰＵ１７１は、ステップＳ１３以降の処理を繰り返して行う。
【００６１】
一方、ステップＳ２１で、ナビゲーション装置１の動作モードが選択されていないと判断すると（ステップＳ２１；Ｎｏ）、ＣＰＵ１７１は、報知を開始してからの経過時間（報知時間）が、予め設定された所定時間（例えば、５分）に達したか否かを判断する（ステップＳ２２）。
【００６２】
ステップＳ２２で、報知時間が、予め設定された所定時間に達していないと判断すると（ステップＳ２２；Ｎｏ）、ＣＰＵ１７１は、ステップＳ２０以降の処理を繰り返して行う。
【００６３】
一方、ステップＳ２２で、報知時間が、予め設定された所定時間に達したと判断すると（ステップＳ２２；Ｙｅｓ）、ＣＰＵ１７１は、ステップＳ１４の処理に移行する。
【００６４】
以上説明した本発明のナビゲーション装置１によれば、現在位置を測位する測位プログラム１７３ｂを実行したＣＰＵ１７１と、測位プログラム１７３ｂを実行したＣＰＵ１７１により測位された現在位置を表示部１２に表示させる表示制御プログラム１７３ｃを実行したＣＰＵ１７１と、を備え、携帯可能であり、さらに、設定プログラム１７３ｇを実行したＣＰＵ１７１によって、ナビゲーション装置１の動作モードを、通常動作モードと、通常動作モードよりも消費電力の少ない省電力動作モードと、の何れかに設定することができ、操作部１４によって、ユーザが、省電力動作モードに設定するよう指示するためことができるとともに、ユーザが、省電力動作モードに設定された状態を継続させる継続時間を入力することができ、判定プログラム１７３ｅを実行したＣＰＵ１７１によって、設定プログラム１７３ｇを実行したＣＰＵ１７１により省電力動作モードに設定されてからの経過時間が、ユーザによる操作部１４の操作により入力された継続時間に達したか否かを判定することができ、そして、設定プログラム１７３ｇを実行したＣＰＵ１７１は、ユーザによる操作部１４の操作により省電力動作モードに設定するよう指示された場合に、ナビゲーション装置１の動作モードを省電力動作モードに設定し、その後、判定プログラム１７３ｅを実行したＣＰＵ１７１によって、当該設定プログラム１７３ｇを実行したＣＰＵ１７１により省電力動作モードに設定されてからの経過時間が、ユーザによる操作部１４の操作により入力された継続時間に達したと判定された場合に、ナビゲーション装置１の動作モードを通常動作モードに設定することができる。
すなわち、ユーザは、消費電力の少ない省電力動作モードに設定するタイミングを指示することができるとともに、当該省電力動作モードを継続させる継続時間を入力することができるため、ユーザの好みを反映できてユーザにとって使い勝手がよいナビゲーション装置１となる。
【００６５】
また、本発明のナビゲーション装置１によれば、音声出力部１３によって、判定プログラム１７３ｅを実行したＣＰＵ１７１によって、設定プログラム１７３ｇを実行したＣＰＵ１７１により省電力動作モードに設定されてからの経過時間が、ユーザによる操作部１４の操作により入力された継続時間に達したと判定された場合に、その旨を報知することができ、操作部１４によって、ユーザが、音声出力部１３により報知された場合に、省電力動作モードに設定された状態をさらに継続するよう指示することができ、そして、設定プログラム１７３ｇを実行したＣＰＵ１７１は、判定プログラム１７３ｅを実行したＣＰＵ１７１によって、当該設定プログラム１７３ｇを実行したＣＰＵ１７１により省電力動作モードに設定されてからの経過時間が、ユーザによる操作部１４の操作により入力された継続時間に達したと判定されて、ユーザによる操作部１４の操作により省電力動作モードに設定された状態をさらに継続するよう指示されない場合は、ナビゲーション装置１の動作モードを通常動作モードに設定するとともに、ユーザによる操作部１４の操作により省電力動作モードに設定された状態をさらに継続するよう指示された場合は、ナビゲーション装置１の動作モードを省電力動作モードに設定したままにすることができる。
すなわち、ユーザは、省電力動作モードに設定された状態をさらに継続するよう指示することができるため、より一層、ユーザの好みを反映できてユーザにとって使い勝手がよいナビゲーション装置１となる。
また、ナビゲーション装置１は、現在位置や歩行（走行）案内を表示するだけでなく、継続時間が入力されると報知するため、例えば、歩行（走行）する際に目標とする時間がある場合には、その目標とする時間を継続時間として入力することによって、ナビゲーション装置１による報知を歩行（走行）時間の目安にすることができる。
【００６６】
また、本発明のナビゲーション装置１によれば、省電力動作モード時は、少なくとも表示部１２による表示を行わないように構成されているとともに、測位プログラム１７３ｂを実行したＣＰＵ１７１による測位を行わないように構成されているため、省電力動作モード時に表示のみを行わないように構成している場合や測位のみを行わないように構成している場合と比較して、より一層、消費電力を抑制することができる。
【００６７】
なお、本発明は、上記した実施の形態のものに限るものではなく、その要旨を逸脱しない範囲で適宜変更可能である。
【００６８】
電子機器は、ＧＰＳ信号に基づいて測位された現在位置を歩行（走行）案内表示とともに表示するナビゲーション装置１の限りではなく、ＧＰＳ信号に基づいて測位された現在位置を表示することができる機能が内蔵された装置であれば、例えば、携帯電話機、ＰＤＡなどでもよい。
【００６９】
省電力動作モードの内容は、省電力動作モードが通常動作モードよりも消費電力を抑制できるモードであれば任意である。
【図面の簡単な説明】
【００７０】
【図１】本発明のナビゲーション装置の機能的構成を示すブロック図である。
【図２】ナビゲーション装置１による動作モードの設定に関する処理について説明するためのフローチャートである。
【符号の説明】
【００７１】
１  ナビゲーション装置（電子機器）
１２  表示部
１３  音声出力部（報知手段）
１４  操作部（第１指示手段（指示手段）、第２指示手段、入力手段）
１７１  ＣＰＵ（測位手段、表示制御手段、判定手段、設定手段）
１７３ｂ  測位プログラム（測位手段）
１７３ｃ  表示制御プログラム（表示制御手段）
１７３ｅ  判定プログラム（判定手段）
１７３ｇ  設定プログラム（設定手段）
【図１】
2008268015.tif 000003
【図２】
2008268015.tif 000004